(57)【要約】小児用カテーテルシステムは、遠位端、近位端、およびそれらの間に延びる管腔を有するカテーテルアダプタを含み得る。このシステムは、カテーテルアダプタから遠位に延びるカテーテルチューブを含み得る。カテーテルチューブは、静脈挿入の成功を改善するために熱可塑性ポリウレタンで構成し得る。このシステムは、カテーテルアダプタの近位端に取り外し可能に連結された針ハブと、カテーテルチューブを通って延びる導入針とを含み得る。導入針の近位端は、針ハブ内に固定し得る。導入針は、静脈挿入の成功を容易にするノッチを含み得る。患者の静脈へのカテーテルチューブの挿入に応答して、血液は、導入針に流れ込み、ノッチの外側から導入針の外面とカテーテルチューブの内面との間に配置された空間に流れ込み得る。
2021531083.tif 000002
【特許請求の範囲】
【請求項１】
小児用カテーテルシステムにおいて、
遠位端、近位端、およびそれらの間に延びるルーメンを有するカテーテルアダプタと、
前記カテーテルアダプタから遠位に延びるカテーテルチューブであって、熱可塑性ポリウレタンで構成される、前記カテーテルチューブと、
前記カテーテルアダプタの近位端に取り外し可能に連結された針ハブと、
前記カテーテルチューブを通って延びる導入針であって、前記導入針の近位端が前記針ハブ内に固定される、前記導入針と、
を備えたこと
を特徴とする小児用カテーテルシステム。
【請求項２】
前記カテーテルチューブは２４ゲージまたは２６ゲージであること
を特徴とする請求項１に記載の小児用カテーテルシステム。
【請求項３】
前記カテーテルチューブの長さは約１９ｍｍであること
を特徴とする請求項１に記載の小児用カテーテルシステム。
【請求項４】
前記導入針は前記導入針の遠位端に向かって配置されたノッチを含み、患者の静脈への前記カテーテルチューブの挿入に応答して、血液は、前記導入針の遠位端に流れ込み、前記ノッチの外側から前記導入針の外面と前記カテーテルチューブの内面との間に配置された空間に流れ込み、前記カテーテルチューブは透明であること
を特徴とする請求項１に記載の小児用カテーテルシステム。 
【請求項５】
前記針ハブの近位端に連結されたフロー制御プラグをさらに備え、前記フロー制御プラグはベントされ、前記患者の前記静脈への前記カテーテルチューブの挿入に応答して、血液は前記フロー制御プラグに流れ込み、前記フロー制御プラグは透明であること
を特徴とする請求項４に記載の小児用カテーテルシステム。
【請求項６】
前記カテーテルアダプタは不透明であること
を特徴とする請求項５に記載の小児用カテーテルシステム。
【請求項７】
前記針ハブは前記針ハブの遠位端から外向きに延びるサムグリップを含むこと
を特徴とする請求項１に記載の小児用カテーテルシステム。
【請求項８】
コンパートメントをさらに備え、
前記カテーテルアダプタは、複数の羽をさらに含み、前記複数の羽は前記カテーテルアダプタから外向きに延び、前記複数の羽は上向きに折りたたまれるように構成され、前記コンパートメントは、前記カテーテルアダプタに適合し、前記複数の羽を上向きの位置に固定すること
を特徴とする請求項１に記載の小児用カテーテルシステム。
【請求項９】
前記コンパートメントは前記コンパートメントの遠位端から外向きに延びるフィンガグリップを含むこと
を特徴とする請求項７に記載の小児用カテーテルシステム。
【請求項１０】
小児用カテーテルシステムにおいて、
遠位端、近位端、およびそれらの間に延びるルーメンを有するカテーテルアダプタと、
前記カテーテルアダプタから遠位に延びるカテーテルチューブと、
前記カテーテルアダプタの近位端に取り外し可能に連結された針ハブと、
前記カテーテルチューブを通って延びる導入針であって、前記導入針の近位端は前記針ハブ内に固定され、前記導入針は前記導入針の遠位端に向かって配置されたノッチを含み、患者の静脈の中への前記カテーテルチューブの挿入に応答して、血液は、前記導入針の遠位端に流れ込み、前記ノッチの外側から前記導入針の外面と前記カテーテルチューブの内面との間に配置された空間に流れ込む、前記導入針と、
を備えたこと
を特徴とする小児用カテーテルシステム。
【請求項１１】
ベントされるフロー制御プラグをさらに備え、前記患者の前記静脈への前記カテーテルチューブの挿入に応答して、血液は、前記フロー制御プラグに流れ込み、前記フロー制御プラグは透明であること
を特徴とする請求項１０に記載の小児用カテーテルシステム。 
【請求項１２】
前記カテーテルアダプタは不透明であり、前記フロー制御プラグは透明であり、前記カテーテルチューブは透明であること
を特徴とする請求項１１に記載の小児用カテーテルシステム。
【請求項１３】
前記カテーテルチューブは熱可塑性ポリウレタンで構成され、前記カテーテルチューブは２４ゲージまたは２６ゲージであること
を特徴とする請求項１２に記載の小児用カテーテルシステム。
【請求項１４】
前記針ハブは前記針ハブの遠位端から外向きに延びるサムグリップを含むこと
を特徴とする請求項１０に記載の小児用カテーテルシステム。
【請求項１５】
コンパートメントをさらに備え、
前記カテーテルアダプタは、複数の羽をさらに含み、前記複数の羽は前記カテーテルアダプタから外向きに延び、前記複数の羽は上向きに折りたたまれるように構成され、前記コンパートメントは、前記カテーテルアダプタに適合し、前記複数の羽を上向きの位置に固定すること
請求項１０に記載の小児用カテーテルシステム。 
【請求項１６】
前記コンパートメントは前記コンパートメントの遠位端から外向きに延びるフィンガグリップを含むこと
を特徴とする請求項１０に記載の小児用カテーテルシステム。
【請求項１７】
小児用カテーテルシステムにおいて、
遠位端、近位端、およびそれらの間に延びるルーメンを有するカテーテルアダプタと、
前記カテーテルアダプタから遠位に延びるカテーテルチューブであって、前記カテーテルチューブは熱可塑性ポリウレタンで構成され、前記カテーテルチューブは２４ゲージまたは２６ゲージである、前記カテーテルチューブと、
前記カテーテルアダプタの近位端に取り外し可能に連結された針ハブと、
前記カテーテルチューブを通って延びる導入針であって、前記導入針の近位端は前記針ハブ内に固定され、前記導入針は前記導入針の遠位端に向かって配置されたノッチを含み、患者の静脈への前記カテーテルチューブの挿入に応答して、血液が、前記導入針の遠位端に流れ込み、前記ノッチの外側から前記導入針の外面と前記カテーテルチューブの内面との間に配置された空間に流れ込む、前記導入針と、
ベントされるフロー制御プラグであって、前記患者の前記静脈への前記カテーテルチューブの挿入に応答して、血液が前記フロー制御プラグに流れ込む、前記フロー制御プラグと、
を備え、
前記カテーテルアダプタは不透明であり、前記フロー制御プラグは透明であり、前記カテーテルチューブは透明であること
を特徴とする小児用カテーテルシステム。
【請求項１８】
前記針ハブは前記針ハブの遠位端から外向きに延びるサムグリップを含むこと
を特徴とする請求項１７に記載の小児用カテーテルシステム。
【請求項１９】
複数の羽とコンパートメントとをさらに備え、前記複数の羽は前記カテーテルアダプタから外向きに延びて、前記複数の羽は上向きに折りたたまれるように構成され、前記コンパートメントは、前記カテーテルアダプタに適合し、前記複数の羽を上向きの位置に固定すること
を特徴とする請求項１７に記載の小児用カテーテルシステム。
【請求項２０】
前記コンパートメントは前記コンパートメントの遠位端から外向きに延びるフィンガグリップを含むこと
を特徴とする請求項１９に記載の小児用カテーテルシステム。
【発明の詳細な説明】
【技術分野】
【０００１】
本発明は、改善された最初の突き刺しの成功のためのカテーテルシステムに関する。
【背景技術】
【０００２】
注入療法（一般的なヘルスケア手技）は、バスキュラーアクセスデバイスによって促進させられ得る。入院患者、在宅医療患者、および他の患者は、バスキュラーシステムの中へ挿入されるバスキュラーアクセスデバイスを介して、流体、医薬品、および血液製品を受け入れる。採血は、バスキュラーアクセスデバイスによって促進させられ得る別の一般的なヘルスケア手技である。
【０００３】
バスキュラーアクセスデバイスは、患者の末梢血管系または中央血管系にアクセスし得る。バスキュラーアクセスデバイスは、短期間（数日）、中期間（数週間）、または長期間（数ヶ月から数年）にわたって、留置していることがあり得る。バスキュラーアクセスデバイスは、連続的な注入療法に関して使用されるか、または、間欠療法に関して使用され得る。
【０００４】
一般的なタイプのバスキュラーアクセスデバイスは、オーバーザニードル式の末梢静脈カテーテル（ＰＩＶＣ）である。その名前が暗示しているように、「オーバーザニードル式」ＰＩＶＣは、鋭い遠位先端部を有する導入針の上に装着され得る。鋭い遠位先端部は、患者の皮膚および血管系を穿刺するために使用され得る。血管系の中へのＰＩＶＣの挿入は、針による血管系の穿刺に続き得る。針およびＰＩＶＣは、概して、針のベベルが患者の皮膚から離れる方に面した状態で、皮膚を通して患者の血管系の中へ浅い角度で挿入される。
【０００５】
静脈がより小さく、アクセスするのがより困難である可能性がある新生児を含む小児患者では、ＰＩＶＣを静脈内に配置しようとして、多様な針刺しが発生し得る。したがって、いくつかの場合には、子供を含むより弱い患者は、痛みや他の合併症を引き起こし得るより多くの針刺しを受けることがある。一度、カテーテルが静脈内に配置されると、針は、将来の採血または輸液のためにカテーテルを所定の位置に残して取り外されてよい。
【０００６】
本明細書で特許請求されている主題は、任意の不利益を解決するか、または、上記に説明されているものなどのような環境においてのみ動作する実施形態に限定されない。むしろ、この背景は、本明細書で説明されているいくつかの実装形態が実践され得る１つの例示的な技術エリアを説明するために提供されているに過ぎない。
【発明の概要】
【０００７】
本開示は、概して、カテーテル挿入の成功を容易にするように構成されたカテーテルシステム、ならびに、カテーテルシステムに関連するデバイスおよび方法に関する。さらに詳細には、いくつかの実施形態では、カテーテルシステムは、患者の静脈へのカテーテルチューブの挿入に関連し得る合併症を軽減し、および／または最初の針刺しの成功を改善し得る。いくつかの実施形態では、カテーテルシステムは、新生児を含む小児患者にとって、これらのより脆弱な患者がただ１つの針刺しよりも多くを経験するリスクを低減するために特に有用であり得る。
【０００８】
いくつかの実施形態では、カテーテルシステムは、遠位端、近位端、およびそれらの間に延びるルーメンを有するカテーテルアダプタを含み得る。いくつかの実施形態では、カテーテルシステムは、カテーテルアダプタから遠位に延びるカテーテルチューブを含み得る。いくつかの実施形態では、カテーテルチューブは、静脈挿入の成功を改善するために熱可塑性ポリウレタンで構成され得る。いくつかの実施形態では、カテーテルシステムは、カテーテルアダプタの近位端に取り外し可能に連結された針ハブと、カテーテルチューブを通って延びる導入針とを含み得る。いくつかの実施形態では、導入針の近位端は、針ハブ内に固定され得る。いくつかの実施形態では、針ハブは、針ハブの遠位端から外向きに延び得るサムグリップを含み得る。
【０００９】
いくつかの実施形態では、導入針は、良好な静脈挿入を容易にし得るノッチを含み得る。いくつかの実施形態では、患者の静脈へのカテーテルチューブの挿入に応答して、血液フラッシュバックは、導入針の遠位先端部に流れ込み、ノッチの外側から導入針の外面とカテーテルチューブの内面との間に配置された空間の中に流れ込み得る。いくつかの実施形態では、カテーテルチューブは、透明であってよく、このことは、カテーテルチューブ内の血液フラッシュバックの視覚化を容易にし得る。瞬時の血液フラッシュバックをもたらし得るノッチ付きの導入針は、例えば、静脈が小さく、血液フラッシュバックがフロー制御プラグに到達するのが遅れる小児患者において特に重要であり得る。瞬時の血液フラッシュバックがカテーテルアダプタの遠位にもたらされることがあるので、瞬時の血液フラッシュバックをもたらすノッチ付きの導入針は、ゲージ識別の目的で不透明なカテーテルアダプタを備えたカテーテルシステムにおいて重要でもあり得る。
【００１０】
いくつかの実施形態では、カテーテルシステムは、小児用カテーテルシステムを含み得る。いくつかの実施形態では、カテーテルチューブは、２４ゲージまたは２６ゲージであり得る。いくつかの実施形態では、カテーテルチューブの長さは、約１９ｍｍであり得る。いくつかの実施形態では、カテーテルチューブは、末梢静脈カテーテルを含み得る。
【００１１】
いくつかの実施形態では、カテーテルシステムは、針ハブの近位端に固定される可能性があるフロー制御プラグを含み得る。いくつかの実施形態では、フロー制御プラグは、ベントされ得る。いくつかの実施形態では、患者の静脈へのカテーテルチューブの挿入に応答して、血液フラッシュバックがフロー制御プラグに流れ込み得る。いくつかの実施形態では、フロー制御プラグは透明であってよく、このことは、フロー制御プラグ内の血液フラッシュバックの視覚化を容易にし得る。したがって、いくつかの実施形態では、カテーテルシステムは、カテーテル内およびフロー制御プラグ内の両方での血液フラッシュバックの視覚化を可能にし、カテーテルが静脈内に適切に配置されていることを決定するために血液を視覚化するためのカテーテルシステム内の複合的な場所を提供し得る。
【００１２】
いくつかの実施形態では、カテーテルアダプタは、不透明であってよい。いくつかの実施形態では、カテーテルアダプタは、カテーテルアダプタから外向きに延び得る１つまたは複数の羽を含み得る。いくつかの実施形態では、この羽は、上向きに折りたたむように構成され得る。いくつかの実施形態では、カテーテルシステムは、カテーテルアダプタに取り外し可能に連結され得るコンパートメントを含み得る。いくつかの実施形態では、このコンパートメントは、カテーテルアダプタに適合し、羽を上向きの位置に固定し得る。いくつかの実施形態では、このコンパートメントは、コンパートメントの遠位端から外向きに延び得るフィンガグリップを含み得る。
【００１３】
先述の全体的な説明および以下の詳細な説明の両方は、例示的で説明的なものであり、特許請求されているような本発明を制限するものではないということが理解されるべきである。さまざまな実施形態は、図面に示されている配置および手段に限定されないということが理解されるべきである。実施形態が組み合わせられ得るということ、または、他の実施形態が利用され得るということ、および、そのように特許請求されていない場合には本発明のさまざまな実施形態の範囲から逸脱することなく構造的な変化がなされ得るということも理解されるべきである。したがって、以下の詳細な説明は、限定の意味でとられるべきではない。
【図面の簡単な説明】
【００１４】
添付の図面の使用を通して、追加的な特異性および詳細によって、例示的な実施形態が記載され、説明されることとなる。
【００１５】
【図１】図１は、いくつかの実施形態に係る例示的なカテーテルアセンブリの上面図である。
【図２Ａ】図２Ａは、いくつかの実施形態に係る例示的なカテーテルシステムの側面図である。
【図２Ｂ】図２Ｂは、いくつかの実施形態に係る図２Ａのカテーテルシステムの上面図である。
【図２Ｃ】図２Ｃは、いくつかの実施形態に係る図２Ａのカテーテルシステムの底面図である。
【図２Ｄ】図２Ｄは、いくつかの実施形態に係る図２Ａのカテーテルシステムの正面図である。
【図２Ｅ】図２Ｅは、いくつかの実施形態に係る図２Ａのカテーテルシステムの背面図である。
【図２Ｆ】図２Ｆは、いくつかの実施形態に係る図２Ａのカテーテルシステムの断面図である。
【図３】図３は、いくつかの実施形態に係る図２Ａのカテーテルシステムの例示的なコンパートメントの正面図である。
【図４】図４は、図３の線４〜４に沿った断面図であって、いくつかの実施形態に係る例示的なカテーテルアダプタに取り付けられたコンパートメントの断面図である。
【図５】図５は、いくつかの実施形態に係る図２Ａのカテーテルシステムの分解図である。
【図６】図６は、いくつかの実施形態に係る例示的なカテーテル内の挿入位置にある例示的な針の断面図である。
【発明を実施するための形態】
【００１６】
ここで、図１を参照すると、いくつかの実施形態に係るカテーテルアセンブリ８の一例が示されている。いくつかの実施形態では、カテーテルアセンブリ８は、ＢＤ  Ｎｅｏｆｌｏｎ（登録商標）ＩＶカニューレシステムまたは別の適切なカテーテルシステムと同様であってよい。
【００１７】
いくつかの実施形態では、カテーテルアセンブリ８は、カテーテルアダプタ１０およびカテーテルチューブ１２を含み得る。いくつかの実施形態では、カテーテルチューブ１２は、カテーテルアダプタ１０から遠位に延び得る。いくつかの実施形態では、カテーテルチューブ１２は、例えば新生児患者を含み得る小児患者用のサイズの小さなゲージのカテーテルを含み得る。
【００１８】
例えば、カテーテルチューブ１２は、２４のゲージサイズを有してよい。これらおよび他の実施形態では、カテーテルチューブ１２は、約０．７ｍｍに等しい外径および／または約１９ｍｍに等しい長さを含み得る。いくつかの実施形態では、カテーテルチューブ１２を通る水の流量は、毎分約２０ｍｌであり得る。別の例として、カテーテルチューブ１２は、２６のゲージサイズを有してよい。これらおよび他の実施形態では、カテーテルチューブ１２は、約０．６ｍｍに等しい外径および／または約１９ｍｍに等しい長さを含み得る。いくつかの実施形態では、カテーテルチューブ１２を通る水の流量は、毎分約１３ｍｌであり得る。
【００１９】
いくつかの実施形態では、カテーテルチューブ１２は、熱可塑性ポリウレタン（「ＴＰＵ」）または別の適切な材料で構成されてよい。いくつかの実施形態では、カテーテルチューブ１２は、単にまたは部分的にＴＰＵで構成され得る。いくつかの実施形態では、ＴＰＵまたは他の適切な材料は、患者の静脈へのカテーテルチューブ１２のスムーズな挿入を容易にし得る。いくつかの実施形態では、ＴＰＵまたは他の適切な材料は、ユーザがカテーテルチューブ１２を静脈に挿入するときに、標準的なカテーテルチューブよりも少ない抵抗を与え得る。標準的なカテーテルチューブは、ポリテトラフルオロエチレン（「ＰＴＦＥ」）または同様の材料で構成されている場合があり、このことは、患者の静脈に挿入することを困難することがあり、標準的なカテーテルチューブの崩壊につながり得る抵抗を与えることがある。いくつかの実施形態では、ＴＰＵまたは他の適切な材料で構成されたカテーテルチューブ１２は、患者の静脈への挿入を容易にし、挿入中のカテーテルチューブ１２の崩壊を回避するのを助け得る。いくつかの実施形態では、ＴＰＵで構成されたカテーテルチューブ１２は、静脈炎のリスクを低減し、カテーテルチューブ１２の留置期間を延長し得る。
【００２０】
いくつかの実施形態では、カテーテルアダプタ１０は、カテーテルアダプタ１０から外向きに延び得る１つまたは複数の羽１４を含み得る。いくつかの実施形態では、羽１４は、カテーテルアダプタ１０の下部から延びてよい。いくつかの実施形態では、カテーテルアダプタ１０は、比較的弾力性のあるプラスチックで構成され得る。いくつかの実施形態では、羽１４は、羽１４が上向きおよび／または下向きの位置に折りたたまれるのを容易にするためのスコアリング１５を含み得る。いくつかの実施形態では、カテーテルアダプタ１０の色は、ユーザにカテーテルチューブ１２のゲージを示し得る。例えば、黄色のカテーテルアダプタ１０は、２４ゲージのカテーテルチューブ１２を示し得、または、紫色のカテーテルアダプタ１０は、２６ゲージのカテーテルチューブ１２を示し得る。カテーテルアダプタの色を使用してゲージサイズをユーザに示すことは、この技術分野では一般的であり得る。
【００２１】
ここで、図２Ａ〜２Ｆを参照すると、いくつかの実施形態に係るカテーテルシステム２０が示されている。いくつかの実施形態では、カテーテルシステム２０は、以下のカテーテルアダプタ１０、カテーテルチューブ１２、コンパートメント１６、針ハブ２２、針２４、フロー制御プラグ２６、およびエンドキャップ２８のうちの１つまたは複数を含み得る。いくつかの実施形態では、着色されたカテーテルアダプタ１０は、成人用に設計されたより大きなゲージが使用されないように、カテーテルチューブ１２が新生児患者または年長の子供を含む小児患者用のサイズであることをユーザに示すために重要であり得る。
【００２２】
いくつかの実施形態では、コンパートメント１６は、カテーテルアダプタ１０に取り外し可能に連結され得る。いくつかの実施形態では、コンパートメント１６は、患者からのカテーテルアセンブリ８の挿入および／または引き抜きを補助するように構成されたフィンガグリップ１８を含み得る。いくつかの実施形態では、コンパートメント１６は、概して正方形であってよい。いくつかの実施形態では、コンパートメント１６は、臨床医などのユーザがカテーテルチューブ１２を患者の静脈に挿入する際に、しっかり掴むのに有用であり得る。いくつかの実施形態では、コンパートメント１６は、カテーテルアダプタ１０自体と比較して、しっかり掴むためのより大きな表面積をもたらし得る。
【００２３】
いくつかの実施形態では、針２４の近位端は、針ハブ２２内に固定され得る。いくつかの実施形態では、針２４の近位端は、針ハブ２２内に圧入されてよい。いくつかの実施形態では、針２４は、患者の静脈へのカテーテルチューブ１２の挿入を容易にするために、鋭い遠位先端部を有する導入針を含み得る。いくつかの実施形態では、針ハブ２２は、カテーテルチューブ１２が患者の静脈に挿入された後、カテーテルアセンブリ８からの針ハブ２２および針２４の取り外しを補助するように構成され得るサムグリップ３０を含み得る。いくつかの実施形態では、針２４は、ステンレス鋼または別の適切な材料で構成され得る。
【００２４】
いくつかの実施形態では、針２４は、針２４の遠位端に向かって（例えば、図５〜６に示される）ノッチ２７を含んでよく、これは、カテーテルチューブ１２が患者の静脈内に適切に配置されたことを示すフラッシュバックをもたらし得る。さらに詳細には、いくつかの実施形態では、針２４が患者の静脈に挿入されることに応答して、血液フラッシュバックは、針２４の鋭い遠位先端部を通って、ノッチ２７の外側からカテーテルシステムの一部に流れ込み得る。例えば、血液フラッシュバックは、遠位先端部を通って、ノッチ２７の外側から針２４の外面とカテーテルチューブ１２の内面との間の空間に流れ込み得る（これは、「一次フラッシュバック」と呼ばれることがある。」）。いくつかの実施形態では、血液フラッシュバックは、例えば、カテーテルアダプタ１０に固定された延長チューブ（不図示）など、カテーテルシステム２０の他の場所に流れ込み得る。一次血液フラッシュバックは、針２４が患者の静脈内に位置することを確認し得る。
【００２５】
いくつかの実施形態では、フロー制御プラグ２６は、針２４の近位端に流体的に接続され得るリザーバ２９を含み得る。したがって、いくつかの実施形態では、血液フラッシュバックは、針２４を通って流れ、針の近位端（または針２４の近位端におけるノッチ）から出て、針ハブ２２およびフロー制御２６に入るようにしてよい。さらにまたはあるいは、いくつかの実施形態では、ノッチ２７から出る血液フラッシュバックは、リザーバを満たし得る。
【００２６】
いくつかの実施形態では、フロー制御プラグ２６は、透明であってよい。したがって、いくつかの実施形態では、フロー制御プラグ２６内に処分された血液フラッシュバック（「二次フラッシュバック」）は、ユーザに見え得る。いくつかの実施形態では、カテーテルシステム２０は、カテーテル内に見える血液フラッシュバック、およびフロー制御プラグ２６内に見えるフラッシュバックを含んでよく、このことは、ユーザに対するフラッシュバックの可視性を高め得る。概して、ＢＤ  Ｎｅｏｆｌｏｎ（商標）ＩＶカニューレシステムにおけるフラッシュバックは、ＢＤ  Ｎｅｏｆｌｏｎ（商標）ＩＶカニューレシステムにおける特定のフロー制御プラグで表示され得るが、ＢＤ  Ｎｅｏｆｌｏｎ（商標）ＩＶカニューレシステムは、一次フラッシュバックの特徴を含まないかもしれない。フロー制御プラグ２６内のフラッシュバックは、見るのに数秒かかることがあるが、ノッチ２７は、迅速な静脈の確認をサポートするために、即時のフラッシュバックまたは「インスタフラッシュ」をもたらし得る。
【００２７】
いくつかの実施形態では、フロー制御プラグ２６は、例えば、フロー制御プラグ２６内に処分された半透膜、多孔質膜、および／またはマイクロ溝と一緒に、空気をベントするように構成され得るが、血液を収容し得る。いくつかの実施形態では、エンドキャップ２８は、フロー制御プラグ２６の近位端に固定され得る。いくつかの実施形態では、エンドキャップ２８は、エンドキャップ２８がフロー制御プラグ２６に固定されるときに、フロー制御プラグ２６のベントを防止し得る。いくつかの実施形態では、エンドキャップ２８および／またはフロー制御プラグ２６の近位端は、例えば、スリップまたはスレッドのオスもしくはメスのルアーアダプタなどのルアーアダプタ、または別の適切なコネクタを含んでよく、このことは、エンドキャップ２８とフロー制御プラグ２６との連結を容易にし得る。
【００２８】
いくつかの実施形態では、ルーメンは、カテーテルアダプタ１０の遠位端からカテーテルアダプタ１０の近位端まで延び得る。いくつかの実施形態では、カテーテルアダプタ１０の近位端は、例えば、スリップまたはスレッドのオスもしくはメスなどのルーメンアダプタ、または、別の適切なコネクタを含み得る。いくつかの実施形態では、針ハブ２２の遠位端は、カテーテルアダプタ１０の近位端におけるコネクタと連結するように構成されたコネクタを含み得る。例えば、針ハブ２２の遠位端は、スリップまたはスレッドのオスもしくはメスなどのルアーアダプタ、または、別の適切なコネクタを含み得る。
【００２９】
図２Ａ〜２Ｅのカテーテルシステム２０は、いくつかの実施形態によれば、患者の静脈へのカテーテルチューブ１２の挿入後であるが針２４の取り外しより前に対応する配置を示している。いくつかの実施形態では、この配置において、羽１４は、接着剤、テープ、または別の適切な機構を介して患者の皮膚に固定するために、下向きの位置に配置され得る。いくつかの実施形態では、カテーテルシステム２０を患者に挿入するより前にカテーテルシステム２０が挿入位置にあるとき、羽１４は、さらに詳細に説明されるように、コンパートメント１６内で上向きの位置に配置され得る。
【００３０】
ここで図３を参照すると、いくつかの実施形態では、コンパートメント１６は、第１のアーチ型ゲート３４を含み得る遠位壁３２と、第２のアーチ型ゲート３８を含み得る（例えば、図４に示される）近位壁３６とを含み得る。いくつかの実施形態では、カテーテルアダプタ１０の直径よりわずかに大きい幅をそれぞれ含み、第１のアーチ型ゲート３４および第２のアーチ型ゲート３８は、コンパートメント１６がカテーテルアダプタ１０に滑り嵌めした状態で押され得る。いくつかの実施形態では、アーチ型ゲート３４，３８は、羽１４の前および／または後ろにカテーテルアダプタ１０を取り囲み得る。いくつかの実施形態では、コンパートメント１６の高さ４０は、少なくとも羽１４の長さと同じ寸法であってよい。
【００３１】
ここで図４を参照すると、いくつかの実施形態では、羽１４は、上向きに折りたたまれてよく、その上、少なくとも底部に開口部を有するコンパートメント１６は、カテーテルアダプタ１０に滑り嵌めした状態で押されて、コンパートメント１６内に羽１４を固定してよい。いくつかの実施形態では、通常の操作、すなわち、静脈穿刺、静脈へのカテーテルチューブ１２の積極的な挿入、およびカテーテルアダプタ１０からの針ハブ２２の分離が、フィンガグリップ１８および／またはサムグリップ３０の手段によって行われた後、コンパートメント１６は、カテーテルアダプタ１０から取り外されてよく、また、羽１４は、広げられて、その上、患者の皮膚に固定されてよい。
【００３２】
ここで図５を参照すると、いくつかの実施形態に係るウェッジ４２が示されている。いくつかの実施形態では、ウェッジ４２は、カテーテルアダプタ１０内にカテーテルチューブ１２を固定し得る。いくつかの実施形態では、ウェッジ４２は、金属または別の適切な材料で構成されてよい。
【００３３】
ここで図６を参照すると、いくつかの実施形態では、針２４は、血液フラッシュバックを促進し得るノッチ２７を含み得る。図６は、いくつかの実施形態に係るカテーテルアダプタ１０内にカテーテルチューブ１２を固定するウェッジ４２を示している。
【００３４】
本明細書で記載されているすべての例および条件的な言語は、本発明および当技術分野の促進のために本発明者によって貢献される概念を理解する際の読者を支援するための教育学的な目的を意図されており、また、そのような具体的に記載されている例および条件に対する限定がないものとして解釈されるべきである。本発明の実施形態が詳細に説明されてきたが、本発明の精神および範囲から逸脱することなく、本明細書には、さまざまな変形例、置換例、および代替例が作製され得るということが理解されるべきである。
【図１】
2021531083.tif 000003
【図２Ａ】
2021531083.tif 000004
【図２Ｂ】
2021531083.tif 000005
【図２Ｃ】
2021531083.tif 000006
【図２Ｄ】
2021531083.tif 000007
【図２Ｅ】
2021531083.tif 000008
【図２Ｆ】
2021531083.tif 000009
【図３】
2021531083.tif 000010
【図４】
2021531083.tif 000011
【図５】
2021531083.tif 000012
【図６】
2021531083.tif 000013
【国際調査報告】
2021531083.tif 000014
2021531083.tif 000015